(57)【要約】【課題】  本発明はインプラント用アバットメント素材に関するものである。  【解決手段】本発明のインプラント用アバットメント素材は、歯茎に埋設される固定体と、人工歯の外形を形成するクラウンを連結するアバットメントと、を製作するための素材であって、円筒形状の本体と、本体の一端に一体に形成され本体を加工してオーダーメイド型アバットメントを製作する時に、本体を加工用機械又はジグに固定するための部位で使われる固定部と、本体の他端に形成され固定体と結合される結合部と、固定部及び本体の中間又は一定の距離まで貫通され加工用機械又はジグと締結するための固定ネジが挿入される締結ネジ部と、本体及び結合部を貫通して固定体との締結するための締結手段が挿入される締結ホールと、で構成されることを特徴とするインプラント用アバットメント素材に関するものである。  【選択図】図１
2014515959.tif 000002
【特許請求の範囲】
【請求項１】
歯茎に埋設される固定体と、人工歯の外形を形成するクラウン（ｃｒｏｗｎ）と、を連結するアバットメント（Ａｂｕｔｍｅｎｔ）を製作するための素材であって、
円筒形状の本体と、
前記本体の一端に一体に形成され本体を加工してオーダーメイド型アバットメントを製作する時に、本体を加工用機械又はジグに固定するための部位である固定部と、
前記本体の他端に形成されて前記固定体と結合される結合部と、
前記固定部及び前記本体の中間又は一定の距離まで貫通されて加工用機械又はジグとの締結のための固定ネジが挿入される締結ネジ部と、
前記本体及び前記結合部を貫通して前記固定体との締結のための締結手段が挿入される締結ホールと、で構成され、
前記固定部は、前記本体から遠くなるほど先細り（ｔａｐｅｒ）にされ、加工用機械又はジグとの締結時に、締結位置を決定するための切欠面を更に含むことを特徴とするインプラント用アバットメント素材。
【請求項２】
歯茎に埋入される固定体と、人工歯の外形を形成するクラウンと、を連結するアバットメントを製作するための素材であって、
円筒形状の本体と、
前記本体の一端に一体に形成され本体を加工してオーダーメイド型アバットメントを製作する時に、本体を加工用機械又はジグに固定するための部位である固定部と、
前記本体の他端に形成されて前記固定体と結合される結合部と、
加工時に本体の固定基準面を確保するために前記本体と前記固定部との間に形成される凹部と、
前記固定部、前記凹部、及び前記本体の中間又は一定の距離まで貫通され、加工用機械又はジグとの締結のための固定ネジが挿入される締結ネジ部と、
前記本体及び前記結合部を貫通して前記固定体との締結のための締結手段が挿入される締結ホールと、で構成され、
前記固定部の外径は前記本体の外径より小さく形成され、加工用機械又はジグとの締結時に、締結位置を決定するための切欠面を更に含むことを特徴とするインプラント用アバットメント素材。
【請求項３】
歯茎に埋設される固定体と、人工歯の外形を形成するクラウンと、を連結するアバットメントを製作するための素材であって、
円筒形状の本体と、
前記本体の一端に形成されて前記固定体と結合される結合部と、
前記本体の、前記結合部が位置する一端から本体の中間又は一定の距離まで貫通され加工用機械又はジグとの締結のための固定ネジが挿入される締結ネジ部と、
前記本体及び前記結合部を貫通して前記固定体との締結のための締結手段が挿入される締結ホールと、で構成され、
前記本体の、前記結合部と対向する他端部の一側は、加工用機械又はジグとの締結時に、締結位置を決定するための切欠面を更に含むことを特徴とするインプラント用アバットメント素材。
【請求項４】
前記結合部は、本体の外部へ突出形成されるインターナル（ｉｎｔｅｒｎａｌ）タイプ又は内部へ陷沒形成されるエクスターナル（ｅｘｔｅｒｎａｌ）タイプで形成されることを特徴とする請求項１乃至３の何れかー項に記載のインプラント用アバットメント素材。
【請求項５】
前記締結ネジ部は、前記固定ネジと対応するネジ山を含むことを特徴とする請求項１乃至３の何れかー項に記載のインプラント用アバットメント素材。
【請求項６】
前記固定部は、前記切欠面を含む“Ｄ”形状又は多角形で形成されることを特徴とする請求項１又は２に記載のインプラント用アバットメント素材。
【請求項７】
前記本体の、前記結合部と対向する他端部の一側は、前記切欠面を含む“Ｄ”形状又は多角形で形成されることを特徴とする請求項３に記載のインプラント用アバットメント素材。
【発明の詳細な説明】
【技術分野】
【０００１】
本発明はインプラント用アバットメント素材に係り、より詳細には、患者別の歯の個別的な特性を考慮したオーダーメイド型アバットメント素材の精密加工のための素材の形状に関する。
【背景技術】
【０００２】
インプラント（Ｉｍｐｌａｎｔ）は、歯を損失するか又は喪失した時に歯槽骨に移植する人工歯である。  インプラントは、隣接する歯を損傷することなく、損失した部分だけの手術が可能であり、歯の機能性、形態的な審美性、正確な発音、口腔全体の健康の回復が速いという長所を持っている。
【０００３】
一般的なインプラントは、通常歯茎に埋設される固定体（Ｆｉｘｔｕｒｅ）、スクリューによって固定体に固定されてインプラントを支持するアバットメント（Ａｂｕｔｍｅｎｔ）、及びアバットメントの上に固定されて人工歯の外形を成すクラウン（Ｃｒｏｗｎ）で構成される。
【０００４】
ここで、アバットメント（以下、「加工対象物」又は「素材」と記すことがある）はクラウンから伝達する力を固定体へ伝達し、これによってあご骨に力を伝達する役目をする。このために加工対象物は人工歯の大きさ、模様及び輪郭を考慮して製造されなければならないし、この外にも周辺の歯及び対合歯（上歯又は下歯）との交合、ひとりひとりの歯の特性、歯茎の状態、及び歯茎ラインを全て反映して製造されなければならない。
【０００５】
このような理由から、インプラントの加工対象物は、画一化されたサイズで供給される既製品より、各患者の歯に対応して製作されるオーダーメイド型がより好んでいられる。
【発明の概要】
【発明が解決しようとする課題】
【０００６】
本発明は前記のような従来の問題に鑑みなされたものであって、本発明の目的は、精密性を要するオーダーメイド型アバットメントの製造において、加工用機械又はジグにアバットメント素材を定位置に精密に固定することによって、素材加工の精密度を高めることができるインプラント用アバットメント素材の提供にある。
【課題を解決するための手段】
【０００７】
前記の目的を達成たすための本発明の第１実施例によるインプラント用アバットメント素材は、歯茎に埋設される固定体と、人工歯の外形を形成するクラウンとを連結するアバットメントを製作するための素材であって、円筒形状の本体と、本体の一端に一体に形成されて本体を加工してオーダーメイド型アバットメントを製作する時に、本体を加工用機械又はジグに固定するための部位である固定部と、本体の他端に形成されて固定体と結合される結合部と、固定部及び本体の中間又は一定の距離まで貫通され加工用機械又はジグとの締結のための固定ネジが挿入される締結ネジ部と、本体及び結合部を貫通して固定体との締結のための締結手段が挿入される締結ホールと、で構成され、
固定部は、本体から遠くなるほど先細りにされ、加工用機械又はジグとの締結時に、締結位置を決定するための切欠面を更に含むことを特徴とする。
【０００８】
本発明の第２実施例によるインプラント用アバットメント素材は、歯茎に埋入される固定体と、人工歯の外形を形成するクラウンとを連結するアバットメントを製作するための素材であって、円筒形状の本体と、本体の一端に一体に形成されて本体を加工してオーダーメイド型アバットメントを製作する時に、本体を加工用機械又はジグに固定するための部位である固定部と、本体の他端に形成されて固定体と結合される結合部と、加工時に本体の固定基準面を確保するために本体と固定部との間に形成される凹部と、固定部、凹部、及び本体の中間又は一定の距離まで貫通され、加工用機械又はジグとの締結のための固定ネジが挿入される締結ネジ部と、本体及び結合部を貫通して固定体との締結のための締結手段が挿入される締結ホールと、で構成され、
固定部の外径は本体の外径より小さく形成され、加工用機械又はジグとの締結時に、締結位置を決定するための切欠面を更に含むことを特徴とする。
【０００９】
本発明の第３実施例によるインプラント用アバットメント素材は、歯茎に埋設される固定体と、人工歯の外形を形成するクラウンとを連結するアバットメントを製作するための素材であって、円筒形状の本体と、本体の一端に形成されて固定体と結合される結合部と、本体の、結合部が位置する一端から本体の中間又は一定の距離まで貫通され加工用機械又はジグとの締結のための固定ネジが挿入される締結ネジ部と、本体及び結合部を貫通して固定体との締結のための締結手段が挿入される締結ホールと、で構成され、
本体の、結合部と対向する他端部の一側は、加工用機械又はジグとの締結時に、締結位置を決定するための切欠面を更に含むことを特徴とする。
【００１０】
本発明の第１乃至第３実施例によるインプラント用アバットメント素材において、前記結合部は、本体の外部へ突出形成されるインターナル（ｉｎｔｅｒｎａｌ）タイプ又は内部へ陷沒形成されるエクスターナル（ｅｘｔｅｒｎａｌ）タイプで形成されることを特徴とする。
【００１１】
本発明の第１乃至第３実施例によるインプラント用アバットメント素材において、前記締結ネジ部は、固定ネジと対応するネジ山を含むことを特徴とする。
【００１２】
本発明の第１乃至第３実施例によるインプラント用アバットメント素材において、前記固定部は、切欠面を含む“Ｄ”形状又は多角形で形成されることを特徴とする。
【００１３】
本発明の第１乃至第３実施例によるインプラント用アバットメント素材において、前記本体の、結合部と対向する他端部の一側は、切欠面を含む“Ｄ”形状又は多角形で形成されることを特徴とする。
【発明の効果】
【００１４】
前記のように、本発明の第１乃至３実施例によるインプラント用アバットメント素材は、精密度を要するオーダーメイド型アバットメントを製造する際に、締結ネジ部と、加工用機械又はジグに固定される素材と、を水平になるように固定ネジによって締結することによって、加工用機械又はジグにアバットメント素材を、外径をグリップ形態でクランピングしなくても、単純なボルト固定一つだけでも定位置に精密に固定することができ、素材加工の精密度及び生産性を高めることができるという效果及び長所がある。
【００１５】
また、本発明の第１乃至第３実施例によるインプラント用アバットメント素材は、固定部又は本体の結合部と対向する他端の一側を、切欠面を含む  “Ｄ”形状又は多角形形状で形成することによって、固定ネジを通じる素材と加工用機械又はジグとの締結時に、締結位置の決定が容易になるという效果及び長所がある。
【図面の簡単な説明】
【００１６】
【図１】本発明の第１実施例によるアバットメント素材を示す図面である。
【図２】本発明の第２実施例によるアバットメント素材を示す図面である。
【図３】本発明の第３実施例によるアバットメント素材を示す図面である。
【図４】本発明の実施例による結合部を示す図面である。
【発明を実施するための形態】
【００１７】
以下に、添付図面を参照しながら本発明の構成を詳細に説明する。
【００１８】
本発明のインプラント用アバットメント素材１０、１０ａ、１０ｂは、歯茎に埋設されるは固定体と、人工歯の外形を形成するクラウン（ｃｒｏｗｎ）と、を連結するアバットメントを製作するための素材に関するものである。
【００１９】
図１は本発明の第１実施例によるアバットメント素材を示す図面である。
【００２０】
図１に示すように、本発明の第１実施例のインプラント用アバットメント素材１０は、円筒形状の本体１００と、本体１００の一端に一体に形成され本体１００を加工してオーダーメイド型アバットメントを製作する時に本体１００を加工用機械又はジグに固定するための部位である固定部２００と、本体１００の他端に形成され固定体と結合される結合部３００と、固定部２００及び本体１００の中間又は一定の距離まで貫通され加工用機械又はジグとの締結のための固定ネジが挿入される締結ネジ部４００と、本体１００及び結合部３００を貫通して固定体との締結のための締結手段が挿入される締結ホール５００と、で構成される。
【００２１】
ここで、固定部２００は本体１００から遠くなるほど先細り（ｔａｐｅｒ）にされ、加工用機械又はジグとの締結時に、締結位置を決定するための切欠面２１０を更に含む。
【００２２】
また、固定部２００は切欠面２１０を含む“Ｄ”形状又は多角形で形成することができる。
【００２３】
そして、締結ネジ部４００は、固定ネジと対応するネジ山を含むのが望ましい。
【００２４】
図２は本発明の第２実施例によるアバットメント素材を示す図面である。
【００２５】
図２に示すように、本発明の第２実施例のインプラント用アバットメント素材１０ａは、円筒形状の本体１００ａと、本体１００ａの一端に一体に形成され本体１００ａを加工してオーダーメイド型アバットメントを製作する時に本体を加工用機械又はジグに固定するための部位である固定部２００ａと、本体１００ａの他端に形成され固定体と結合される結合部３００ａと、固定時に本体１００ａの固定基準面７００ａを確保するために本体１００ａと固定部２００ａとの間に形成される凹部６００ａと、固定部２００ａ、凹部６００ａ、及び本体１００ａの中間又は一定の距離まで貫通され加工用機械又はジグとの締結のための固定ネジが挿入される締結ネジ部４００ａと、本体１００ａ及び結合部３００ａを貫通して固定体との締結のための締結手段が挿入される締結ホール５００ａと、で構成される。
【００２６】
ここで、固定部２００ａの外径は、本体１００ａの外径より小さく形成され、加工用機械又はジグとの締結時に、締結位置を決定するための切欠面２１０ａを更に含む。
【００２７】
また、固定部２００ａは切欠面２１０ａを含む“Ｄ”形状又は多角形で形成することができる。
【００２８】
そして、締結ネジ部４００ａは固定ネジと対応するネジ山を含むのが望ましい。
【００２９】
図３は本発明の第３実施例によるアバットメント素材を示す図面である。
【００３０】
図３に示すように、本発明の第３実施例によるインプラント用アバットメント素材１０ｂは、円筒形状の本体１００ｂと、本体１００ｂの一端に形成されて固定体と結合される結合部３００ｂと、固定基準面７００ｂから本体１００ｂの中間又は一定の距離まで貫通されて加工用機械又はジグとの締結のための固定ネジが挿入される締結ネジ部４００ｂと、本体１００ｂ及び結合部３００ｂを貫通して固定体との締結のための締結手段が挿入される締結ホール５００ｂと、で構成される。
【００３１】
ここで、本体１００ｂの、結合部３００ｂと対向する他端部の一側は、加工用機械又はジグとの締結時に締結位置を決定するための切欠面２１０ｂを含む“Ｄ”形状又は多角形で形成されることができる。
【００３２】
そして、締結ネジ部４００ｂは固定ネジと対応するネジ山を含むことが望ましい。
【００３３】
前記のように、本発明の第１乃至第３実施例によるインプラント用アバットメント素材１０、１０ａ、及び１０ｂは、精密度を要するオーダーメイド型アバットメントを製造する際に、締結ネジ部４００、４００ａ、又は４００ｂそれぞれと、加工用機械又はジグに固定される素材１０、１０ａ、又は１０ｂそれぞれを、水平になるように固定ネジによって締結することによって、加工用機械又はジグにアバットメント素材の外周部をグリップ形態でクランピングしなくても、定位置に簡単ながらも精密に固定することができ、オーダーメイド型アバットメントの加工時の生産性及び精密度を高めることができるという效果及び特徴がある。
【００３４】
また、本発明の第１乃至第３実施例によるインプラント用アバットメント素材１０、１０ａ、及び１０ｂは、固定部２００、２００ａ、又は本体１００ｂの結合部３００ｂと対向する他端部を、切欠面２１０、２１０ａ、２１０ｂを含む“Ｄ”形状又は多角形形状で形成することによって、ネジを通じる素材１０、１０ａ、１０ｂと、加工用機械又はジグと、の締結時に、締結位置の決定が容易であるという效果及び長所がある。
【００３５】
図４は本発明の実施例による結合部を示す図面である。
【００３６】
図４に示すように、本発明によるインプラント用アバットメント素材の結合部３００、３００ａ、３００ｂは、本体１００、１００ａ、１００ｂの外部へ突出形成されるインターナル（ｉｎｔｅｒｎａｌ、図４ａ）タイプ又は内部へ陷沒形成されるエクスターナル（Ｅｘｔｅｒｎａｌ、図４ｂ）タイプで形成することができる。
【００３７】
以上、本発明に関する好ましい実施形態を説明したが、本発明は前記実施形態に限定されず、本発明の属する技術範囲を逸脱しない範囲での全ての変更が含まれる。
【図１】
2014515959.tif 000003
【図２】
2014515959.tif 000004
【図３】
2014515959.tif 000005
【図４】
2014515959.tif 000006
【国際調査報告】
2014515959.tif 000007
2014515959.tif 000008
2014515959.tif 000009
2014515959.tif 000010